(57)【要約】【課題】  録音時においても自動的に合焦動作を行うとともに、再生時の音質を向上しうる電子カメラを提供する。【解決手段】  撮影光学系を介した被写体像に基づいて画像データを生成する撮像部と、カメラ外部の音声を録音するマイクと、前記撮影光学系を駆動させるためのモータおよび駆動機構を備えたレンズ駆動部と、前記被写体像の合焦状態に基づいて前記レンズ駆動部を制御し、前記マイクの非録音時と録音時とで前記レンズ駆動部の連続駆動時間および前記モータの駆動周波数の少なくとも一方を変化させる合焦制御部と、を有することを特徴とする。【選択図】  図１
2006184440.tif 000002
【特許請求の範囲】
【請求項１】
撮影光学系を介した被写体像に基づいて画像データを生成する撮像部と、
カメラ外部の音声を録音するマイクと、
前記撮影光学系を駆動させるためのモータおよび駆動機構を備えたレンズ駆動部と、
前記被写体像の合焦状態に基づいて前記レンズ駆動部を制御し、前記マイクの非録音時と録音時とで前記レンズ駆動部の連続駆動時間および前記モータの駆動周波数の少なくとも一方を変化させる合焦制御部と、を有することを特徴とする電子カメラ。
【請求項２】
前記合焦制御部は録音時における前記レンズ駆動部の連続駆動時間を非録音時よりも短縮することを特徴とする請求項１に記載の電子カメラ。
【請求項３】
前記合焦制御部は録音時における前記モータの駆動周波数を非録音時よりも低下させることを特徴とする請求項１または請求項２に記載の電子カメラ。
【請求項４】
前記撮像部は動画像データを生成可能であって、
録音を伴う動画撮影時において、前記合焦制御部は撮影開始前または撮影開始直後に所定時間内での第１合焦動作を行い、該第１合焦動作の終了後には前記レンズ駆動部の連続駆動時間および前記モータの駆動周波数の少なくとも一方が前記第１合焦動作と異なる第２合焦動作に切り替えることを特徴とする請求項１から請求項３のいずれかに記載の電子カメラ。
【請求項５】
前記合焦制御部は、前記第２合焦動作における前記レンズ駆動部の連続駆動時間または前記モータの駆動周波数の設定を動画像データの解像度およびフレームレートに基づいて設定することを特徴とする請求項４に記載の電子カメラ。
【請求項６】
前記合焦制御部は、前記第１合焦動作の終了後、任意の合焦停止時間をあけて間欠的に前記第２合焦動作を行うことを特徴とする請求項４または請求項５に記載の電子カメラ。
【請求項７】
前記合焦制御部は、前記第１合焦動作の終了後、露出条件および前記撮影光学系のズーム位置の少なくとも一方の変化が検出された場合に前記第２合焦動作を行うことを特徴とする請求項４から請求項６のいずれかに記載の電子カメラ。
【請求項８】
露出条件または前記撮影光学系のズーム位置と過焦点距離との対応関係を示す過焦点距離情報を記録したメモリをさらに有し、前記合焦制御部は前記過焦点距離が大きくなる場合には前記第２合焦動作を停止することを特徴とする請求項７に記載の電子カメラ。
【請求項９】
前記メモリには動画像データの各解像度に対応する前記過焦点距離情報がそれぞれ記録されていることを特徴とする請求項８に記載の電子カメラ。
【発明の詳細な説明】
【技術分野】
【０００１】
本発明は録音機能を備えた電子カメラについて、特にＡＦ動作音の録音を抑制しうる電子カメラに関する。
【背景技術】
【０００２】
近年、撮像素子により被写体像を電子的に記録する電子カメラが急速に普及しつつある。かかる電子カメラは静止画の撮影が主機能であるが、録音を伴う動画撮影や静止画撮影時での音声記録が可能なものも実用化されている。
上記の電子カメラでは、ＡＦレンズを駆動するモータや駆動機構の駆動音（ＡＦ動作音）が録音時にカメラ筐体内で響いてマイクまで伝達され、外部音声とＡＦ動作とが同時録音されてしまい再生時の音質が低下する問題が指摘されている。
【０００３】
上記に関連して、特許文献１には録音を伴う動画撮影時においてユーザーによる合焦指示のみに応じて合焦動作を行い、録音時のＡＦ動作回数を抑制することでＡＦ動作音を抑制する電子カメラが開示されている。
【特許文献１】特開２００２−１０１２３号公報
【発明の開示】
【発明が解決しようとする課題】
【０００４】
しかし、上記特許文献１の電子カメラでは、録音を伴う動画撮影時にユーザーが合焦動作を指示しなければならないので操作が非常に煩雑となる。また、上記特許文献１の電子カメラではそれぞれの合焦動作は非録音時と同じであるので、合焦動作を頻繁に行うシーンではＡＦ動作音により再生時の音質が大きく低下する。
また、上記特許文献１には、合焦状態に関する表示（合焦ズレ量が許容範囲か否か）をモニタに表示することでユーザーの合焦動作判断を容易にする構成も開示されている。しかし、特許文献１のようにＴＴＬコントラスト検出方式のＡＦでは山登り動作で合焦状態の判断が行われ、合焦状態の情報取得動作はＡＦ動作そのものとなる。すなわち、上記の合焦状態に関する表示を行う場合にはＡＦ動作が頻繁に行われるので、再生時の音質向上を図ることが困難である。
【０００５】
本発明は上記従来技術の課題を解決するものであって、その目的は、録音時においても自動的に合焦動作を行うとともに、再生時の音質を向上しうる電子カメラを提供することである。
【課題を解決するための手段】
【０００６】
第１の発明の電子カメラは、撮影光学系を介した被写体像に基づいて画像データを生成する撮像部と、カメラ外部の音声を録音するマイクと、前記撮影光学系を駆動させるためのモータおよび駆動機構を備えたレンズ駆動部と、前記被写体像の合焦状態に基づいて前記レンズ駆動部を制御し、前記マイクの非録音時と録音時とで前記レンズ駆動部の連続駆動時間および前記モータの駆動周波数の少なくとも一方を変化させる合焦制御部と、を有することを特徴とする。
【０００７】
第２の発明は、第１の発明において、前記合焦制御部は録音時における前記レンズ駆動部の連続駆動時間を非録音時よりも短縮することを特徴とする。
第３の発明は、第１または第２の発明において、前記合焦制御部は録音時における前記モータの駆動周波数を非録音時よりも低下させることを特徴とする。
第４の発明は、第１から第３のいずれかの発明において、前記撮像部は動画像データを生成可能であって、録音を伴う動画撮影時において、前記合焦制御部は撮影開始前または撮影開始直後に所定時間内での第１合焦動作を行い、該第１合焦動作の終了後には前記レンズ駆動部の連続駆動時間および前記モータの駆動周波数の少なくとも一方が前記第１合焦動作と異なる第２合焦動作に切り替えることを特徴とする。
【０００８】
第５の発明は、第４の発明において、前記合焦制御部は、前記第２合焦動作における前記レンズ駆動部の連続駆動時間または前記モータの駆動周波数の設定を動画像データの解像度およびフレームレートに基づいて設定することを特徴とする。
第６の発明は、第４または第５の発明において、前記合焦制御部は、前記第１合焦動作の終了後、任意の合焦停止時間をあけて間欠的に前記第２合焦動作を行うことを特徴とする。
【０００９】
第７の発明は、第４から第６のいずれかの発明において、前記合焦制御部は、前記第１合焦動作の終了後、露出条件および前記撮影光学系のズーム位置の少なくとも一方の変化が検出された場合に前記第２合焦動作を行うことを特徴とする。
第８の発明は、第７の発明において、露出条件または前記撮影光学系のズーム位置と過焦点距離との対応関係を示す過焦点距離情報を記録したメモリをさらに有し、前記合焦制御部は前記過焦点距離が大きくなる場合には前記第２合焦動作を停止することを特徴とする。
【００１０】
第９の発明は、第８の発明において、前記メモリには動画像データの各解像度に対応する前記過焦点距離情報がそれぞれ記録されていることを特徴とする。
【発明の効果】
【００１１】
本発明では、録音時と非録音時とでレンズ駆動部の連続駆動時間やモータの駆動周波数を変化させることで、録音時のＡＦ動作音の発生時間を短くしたり、録音時のＡＦ動作音を低くすることができる。したがって、特別な防音構造などを必要とすることなく録音時のＡＦ動作音を抑制し、その結果再生時の音質を向上させることができる。また、録音時においてもＡＦ動作を自動化できるのでユーザーは煩雑なＡＦ操作を行うことなく撮影に集中でき、ユーザーの操作ミス等による撮影失敗を減らすことができる。
【発明を実施するための最良の形態】
【００１２】
（第１実施形態の説明）
図１は第１実施形態の電子カメラのブロック図であり、図２は電子カメラの撮影光学系およびマイクの配置を示す概要図である。第１実施形態の電子カメラは動画撮影機能を有するデジタルスチルカメラであって、動画撮影時には外部音声を同時に録音することが可能である。
【００１３】
電子カメラは、撮影レンズ１０と、レンズ駆動部１１と、入射光量調節を行う絞り部１２と、撮像素子１３と、アナログ信号処理部１４と、Ａ／Ｄ変換部１５と、画像処理部１６と、メモリ１７と、マイク部１８および音声処理部１９と、カードＩ／Ｆ２０と、表示Ｉ／Ｆ２１と、モニタ２２と、操作部２３と、ＣＰＵ２４と、各部を接続するデータバス２５とを有している。
【００１４】
撮影レンズ１０は、ズームレンズ３０と合焦位置調節用のフォーカシングレンズ３１とを含む複数のレンズで構成されている。各レンズのうち、光軸方向に駆動調整されるレンズはリードナットを備えたレンズ保持枠３２に支持されている。また、レンズ保持枠３２は一対のガイドシャフト（図示を省略する）で光軸方向に摺動可能に支持されている。
レンズ駆動部１１は、リードナットに螺合するリードスクリュー３３と、リードスクリュー３３にトルクを供給して撮影レンズを光軸方向に駆動調整するモータ３４とを有している。上記のリードスクリュー３３およびモータ３４は、ズームレンズ駆動用およびフォーカシングレンズ駆動用に２つずつ設けられている。なお、レンズ駆動部１１は図示しないエンコーダにより、ズーム動作やＡＦ動作によるレンズ位置の変化をＣＰＵ２４に出力できるように構成されている。
【００１５】
撮像素子１３は撮影レンズ１０の像空間側に配置されている。撮像素子１３の受光面（撮影レンズ１０と相対する面）には被写体像を光電変換してアナログ画像信号を生成する受光画素が２次元配列されている。撮像素子１３の出力はアナログ信号処理部１４に接続されている。
アナログ信号処理部１４は、相関二重サンプリングを行うＣＤＳ回路、アナログ画像信号の出力を増幅するゲイン回路、入力信号の波形を一定の電圧レベルにクランプするクランプ回路等で構成されている。Ａ／Ｄ変換部１５はアナログ信号処理部１４から出力されたアナログ画像信号をデジタル画像信号に変換する。
【００１６】
画像処理部１６は、Ａ／Ｄ変換回路１５から出力されたデジタル画像信号にガンマ補正、ホワイトバランスなどの処理を行って撮影画像データ（静止画像データおよび動画像データ）を生成する。また、画像処理部１６は所定のフォーマットで撮影画像データを圧縮伸長する処理を実行する。
メモリ１７はＳＤＲＡＭ等で構成され、複数フレーム分の画像データを記録できる容量を有している。このメモリ１７には画像処理部１６による画像処理の前後で画像データが一時的に保存される。また、録音を伴う動画撮影時では、合焦判定毎にメモリ１７へ過焦点距離の値が記録される。
【００１７】
さらに、メモリ１７には、絞り値などの露出条件および撮影レンズのズーム位置と過焦点距離との対応関係を示すＬＵＴ（過焦点距離情報）が記録されている。ここで、動画像データの解像度によるピントの許容範囲の変化と過焦点距離とは密接な関連を有するので、上記の過焦点距離情報は動画像データの各解像度毎に別々のＬＵＴが記録されている。
マイク部１８は電子カメラの筐体３５に取りつけられており、その出力は音声処理部１９に接続されている。音声処理部１９はＡＧＣ回路やＡ／Ｄ変換回路等から構成されている。また、カードＩ／Ｆ２０には記録媒体３６を接続するためのコネクタが形成されている。記録媒体３６は公知の半導体メモリなどで構成され、この記録媒体３６には上記の画像データ（音声付き動画像データを含む）が最終的に記録される。
【００１８】
表示Ｉ／Ｆ２１にはモニタ２２が接続されている。モニタ２２には撮影画像データの再生画面や、カメラの各種設定を行うための設定画面などが表示される。操作部２３はコマンドダイヤルや十字状のカーソルキーなどで構成され、設定画面での各種選択入力に使用される。なお、この設定画面では動画像データの解像度やフレームレートなどを設定することができる。
【００１９】
ＣＰＵ２４は、例えばレンズ駆動部１１や絞り部１２の制御、撮像素子１３の電荷蓄積時間の制御、マイク部１８の制御、動画撮影や静止画撮影等のモード切替、合焦動作のタイミング決定用のタイムカウントなどを実行する。また、撮影モードにおいて、ＣＰＵ２４は撮像素子１３から読み出される画像信号を用いてＡＦ演算およびＡＥ演算を実行する。
【００２０】
ここで、ＣＰＵ２４によるＡＦ演算は「像のぼけの程度とコントラストには相関関係があって、合焦時に像のコントラストが最大になる」という原理を利用したコントラスト検出方式で行われる。なお、このＡＦ演算では撮像素子１３の受光面の一部（例えば焦点検出エリアなど）の画像信号のみを用いてＡＦ演算を行うことが多い。
具体的には、ＣＰＵ２４は撮像素子１３の出力からバンドパスフィルタによって所定帯域の高周波成分を抽出し、この高周波成分の絶対値を積分して被写体像に関する焦点評価値を生成する。この焦点評価値は合焦位置でコントラストが最大となったときに最大値となる。
【００２１】
そして、ＣＰＵ２４はフォーカシングレンズ３１を所定方向に移動させて、移動前後の焦点評価値の大小を比較する。移動後の焦点評価値が大きい場合はコントラストが高まる傾向とみなして、ＣＰＵ２４はフォーカシングレンズ３１を同一方向に移動させて同様の演算を行う。一方、移動後の焦点評価値が小さい場合はコントラストが低下する状態であるので、ＣＰＵ２４はフォーカシングレンズ３１を逆方向に移動させて同様の演算を行う。ＣＰＵ２４は上記処理を繰り返して焦点評価値のピーク（合焦位置）を探索する。上記動作は一般的に山登り動作と称されている。
【００２２】
また、ＣＰＵ２４は録音時のＡＦ動作音を抑制するためにＡＦ動作の設定を録音時と非録音時とで変更する機能を有している。具体的には、第１の手段としてＣＰＵ２４は録音時のレンズ駆動部１１の連続駆動時間を非録音時より短く設定し、録音時のＡＦ動作音の発生時間を短縮させる。あるいは、第２の手段としてＣＰＵ２４は録音時におけるモータ３４の駆動周波数を非録音時よりも低くしてＡＦ動作速度を落とし、録音時のＡＦ動作音そのものを低下させる。勿論、ＣＰＵ２４は上記の第１の手段と第２の手段を組み合わせて録音時のＡＦ動作音を抑制してもよい。なお、第１の手段による場合、ＣＰＵ２４はモータ３４の駆動周波数を非録音時以下の値に設定するのが好ましいが、ＣＰＵ２４はＡＦ駆動音の大きさが許容されうる範囲でモータ３４の駆動周波数を非録音時よりも若干高く設定することも可能である。
【００２３】
さらに、録音を伴う動画撮影の場合には、ＣＰＵ２４は上記のレンズ駆動部１１の連続駆動時間およびモータ３４の駆動周波数を動画像データの解像度およびフレームレートに基づいて設定する。これにより、ＡＦ動作音を一層抑制することも可能となる。
一般的に動画で要求される合焦精度は静止画より低く、動画像データの解像度が低い場合には要求される合焦精度はさらに低下する。この場合にはＡＦ動作時間の短縮やＡＦ動作速度の低下を行っても、被写体像のピントが許容範囲に収まる可能性は高くなる。したがって、動画像データの解像度が低くなる場合には、ＣＰＵ２４はレンズ駆動部１１の連続駆動時間を段階的に短縮し、またはモータ３４の駆動周波数を段階的に低下させることができる。
【００２４】
また、動画像データのフレームレートが低い場合には、ＡＦ動作速度を落としてＡＦ動作時間を長くしても動画像データへの影響は現れにくくなる。したがって、動画像データの解像度が低くなる場合には、ＣＰＵ２４はレンズ駆動部１１の連続駆動時間を延長するとともにモータ３４の駆動周波数を低下させることができる。
第１実施形態の電子カメラは上記のように構成され、以下、録音を伴う動画撮影時のＡＦ動作を図３の流れ図に沿って説明する。
【００２５】
ステップＳ１０１：撮影開始前において、ＣＰＵ２４は動画撮影の開始に備えてＡＦ動作およびＡＥ動作を実行する。ここで、Ｓ１０１において撮影開始前に行われるＡＦ動作（第１合焦動作）では、レンズ駆動部１１の連続駆動時間およびモータ３４の駆動周波数が通常の静止画撮影（非録音時の撮影）の場合と同様に設定されている。
ステップＳ１０２：ＣＰＵ２４はユーザーが撮影開始の指示入力をしたか否かを判定する。指示入力がある場合（ＹＥＳ側）にはＳ１０３に移行する。一方、指示入力がない場合（ＮＯ側）にはＳ１０１に戻って、ＣＰＵ２４はユーザーによる撮影開始の指示入力を待機する。
【００２６】
ステップＳ１０３：ＣＰＵ２４は撮像素子１３およびマイク部１８を駆動させて、音声付き動画像データの生成を開始する。
ステップＳ１０４：ＣＰＵ２４は撮影開始に伴って第１合焦動作を停止させる。ここで、第１合焦動作中に撮影が開始された場合、ＣＰＵ２４は撮影開始時に第１合焦動作を途中で打ち切ってもよく、またはＣＰＵ２４は第１合焦動作を最後まで行うようにしてもよい。
【００２７】
そして、ＣＰＵ２４は第１合焦動作終了時の過焦点距離をメモリ１７に記録する。また、ＣＰＵ２４は第１合焦動作の終了後からタイムカウントを開始する。なお、このタイムカウントは後述の合焦停止時間の判定（Ｓ１０６）に用いられる。
ステップＳ１０５：ＣＰＵ２４はレンズ駆動部１１の連続駆動時間およびモータ３４の駆動周波数の設定を非録音時の設定（第１合焦動作）から録音時の設定（第２合焦動作）に切り替える。上記の第２合焦動作の設定は第１合焦動作よりもＡＦ動作音が抑制される設定となっている。また、第２合焦動作の設定では、ＣＰＵ２４は動画像データの解像度およびフレームレートを参照して上記録音時の連続駆動時間および駆動周波数を決定する。なお、Ｓ１０３からＳ１０５までの処理はほぼ同時に行われる。
【００２８】
ステップＳ１０６：ＣＰＵ２４は前回の合焦判定時から所定の合焦停止時間が経過したか否かをタイムカウントに基づいて判定する。合焦停止時間が経過している場合（ＹＥＳ側）にはＳ１０７に移行する。一方、合焦停止時間が経過していない場合（ＮＯ側）にはＳ１１１に移行する。なお、Ｓ１０６の合焦停止時間は、Ｓ１０５での連続駆動時間および駆動周波数の設定、動画像の解像度またはフレームレート等を考慮してＣＰＵ２４が適宜変更することができる。
【００２９】
ステップＳ１０７：ＣＰＵ２４は前回の合焦判定時から絞り値の変化（露出条件の変化）またはズームレンズ３０のレンズ位置の変化があるか否かを判定する。両者のいずれかに変化がある場合（ＹＥＳ側）にはＳ１０８に移行する。一方、両者のいずれにも変化がない場合（ＮＯ側）にはＡＦ動作の必要がないので、ＣＰＵ２４はタイムカウントをリセットした後にＳ１１１に移行する。
【００３０】
ステップＳ１０８：ＣＰＵ２４は現在の絞り値およびズームレンズ３０の現在のレンズ位置、動画像データの解像度に基づいてメモリ１７のＬＵＴから現在の過焦点距離を取得する。
ステップＳ１０９：ＣＰＵ２４はメモリ１７に記録されている過焦点距離と現在の過焦点距離（Ｓ１０８）とを比較し、現在の過焦点距離が小さいか否かを判定する。現在の過焦点距離が小さい場合（ＹＥＳ側）にはＳ１１０に移行する。一方、現在の過焦点距離が大きくなる場合（ＮＯ側）にはそのままで被写体にピントがあっているのでＡＦ動作の必要はない。そのため、ＣＰＵ２４は、メモリ１７の過焦点距離をＳ１０８の過焦点距離に更新し、次にタイムカウントをリセットしてＳ１１１に移行する。
【００３１】
ステップＳ１１０：ＣＰＵ２４はＳ１０５での設定に基づくＡＦ動作（第２合焦動作）を実行する。第２合焦動作の終了後には、ＣＰＵ２４はまずメモリ１７の過焦点距離をＳ１０８の過焦点距離に更新し、次にタイムカウントをリセットしてＳ１１１に移行する。
ステップＳ１１１：ＣＰＵ２４は撮影終了の入力があるか否かを判定する。撮影終了の入力がある場合（ＹＥＳ側）にはＣＰＵ２４は録音を伴う動画撮影を終了する。一方、撮影終了の入力がない場合（ＹＥＳ側）にはＳ１０６に戻って上記の判定を繰り返す。以上で第１実施形態のＡＦ動作の説明を終了する。
【００３２】
第１実施形態では、撮影中の第２合焦動作におけるレンズ駆動部１１の連続駆動時間およびモータ３４の駆動周波数の少なくとも一方の設定が、撮影開始前の第１合焦動作よりもＡＦ動作音が抑制されるように変更される。したがって、動画撮影中にはＡＦ動作音の発生時間が短縮したり、あるいはＡＦ動作音が低下するので、動画像データ再生時の音質は大幅に向上する。
【００３３】
また、第１実施形態では録音を伴う動画撮影時にもＣＰＵ２４が自動的にＡＦ動作を実行する。そのため、ユーザーは煩雑なＡＦ操作を行うことなく撮影に集中でき、ユーザーの操作ミス等による撮影失敗を減らすことができる。
第１実施形態では所定の合焦停止時間をあけて間欠的に第２合焦動作が行われる。しかも、絞り値の変化やズーム動作がない場合（Ｓ１０７）や、これらの変化があっても過焦点距離が大きくなる場合（Ｓ１０８）のようにＡＦ動作の必要がない場合には第２合焦動作は行われない。そのため、第１実施形態では、録音を伴う動画撮影時にＡＦ動作音が録音される機会が大幅に少なくなる。
【００３４】
（第２実施形態の説明）
図４は第２実施形態における録音を伴う動画撮影時のＡＦ動作を示す流れ図である。第２実施形態は第１実施形態の変形例であって、撮影直後に第１合焦動作を実行する。この第２実施形態の構成によっても第１実施形態とほぼ同様の効果を得ることができる。
ここで、第２実施形態のＳ２０５〜Ｓ２１０はＳ１０６〜Ｓ１１１に対応するので重複部分の説明は省略する。なお、以下の実施形態について図１および図２に示す第１実施形態の構成に対応する構成には同一符号を付して説明を省略する。
【００３５】
ステップＳ２０１：動画撮影開始前の状態において、ＣＰＵ２４は動画撮影の開始に備えてＡＥ動作を実行する。そして、ＣＰＵ２４はユーザーが撮影開始の指示入力をしたか否かを判定する。指示入力がある場合（ＹＥＳ側）にはＳ２０２に移行する。一方、指示入力がない場合（ＮＯ側）にはＣＰＵ２４はユーザーによる撮影開始の指示入力を待機する。
【００３６】
ステップＳ２０２：ＣＰＵ２４は撮像素子１３およびマイク部１８を駆動させて、音声付き動画像データの生成を開始する。
ステップＳ２０３：ＣＰＵ２４は撮影開始に伴ってＡＦ動作（第１合焦動作）を所定時間だけ実行する。第１合焦動作でのレンズ駆動部１１の連続駆動時間およびモータ３４の駆動周波数の設定は非録音時の場合と同じ設定でもよく、あるいは非録音時の場合と比べてＡＦ動作音が抑制される設定であってもよい。
【００３７】
そして、第１合焦動作の終了後に、ＣＰＵ２４は第１合焦動作終了時の過焦点距離をメモリ１７に記録する。また、ＣＰＵ２４は第１合焦動作の終了後からタイムカウントを開始する。
ステップＳ２０４：ＣＰＵ２４はレンズ駆動部１１の連続駆動時間およびモータ３４の駆動周波数の設定を第１合焦動作の設定から第２合焦動作の設定に切り替える。上記の第２合焦動作の設定は第１合焦動作よりもＡＦ動作音が抑制される設定となっている。
【００３８】
（第３実施形態の説明）
図５は第３実施形態における録音を伴う動画撮影時のＡＦ動作を示す流れ図である。第３実施形態は第１実施形態の変形例であって、ＣＰＵ２４は絞り値の変化やズーム動作の検出時に第２合焦動作の判定を行い、合焦停止時間の判定は行わない例である。この第３実施形態の構成によっても第１実施形態とほぼ同様の効果を得ることができる。
【００３９】
ここで、第３実施形態のＳ３０１〜Ｓ３０３はＳ１０１〜Ｓ１０３にそれぞれ対応するので重複部分の説明は省略する。
ステップＳ３０４：ＣＰＵ２４は撮影開始に伴って第１合焦動作を停止させる。そして、ＣＰＵ２４は第１合焦動作終了時の過焦点距離をメモリ１７に記録する。なお、第３実施形態のＣＰＵ２４はタイムカウントは行わない。
【００４０】
ステップＳ３０５：ＣＰＵ２４はレンズ駆動部１１の連続駆動時間およびモータ３４の駆動周波数の設定を非録音時の設定（第１合焦動作）から録音時の設定（第２合焦動作）に切り替える。上記の第２合焦動作の設定は、第１合焦動作よりもＡＦ動作音が抑制される設定となっている。なお、Ｓ３０３からＳ３０５までの処理はほぼ同時に行われる。
ステップＳ３０６：ＣＰＵ２４は前回の合焦判定時から絞り値の変化またはズームレンズ３０のレンズ位置の変化があるか否かを判定する。両者のいずれかに変化がある場合（ＹＥＳ側）にはＳ３０７に移行する。一方、両者のいずれにも変化がない場合（ＮＯ側）にはＡＦ動作の必要がないので、Ｓ３１０に移行する。
【００４１】
ステップＳ３０７：ＣＰＵ２４は現在の絞り値およびズームレンズ３０の現在のレンズ位置、動画像データの解像度に基づいてメモリ１７のＬＵＴから現在の過焦点距離を取得する。
ステップＳ３０８：ＣＰＵ２４はメモリ１７に記録されている過焦点距離と現在の過焦点距離（Ｓ３０７）とを比較し、現在の過焦点距離が小さいか否かを判定する。現在の過焦点距離が小さい場合（ＹＥＳ側）にはＳ３０９に移行する。一方、現在の過焦点距離が大きくなる場合（ＮＯ側）にはそのままで被写体にピントがあっているのでＡＦ動作の必要はない。そのため、ＣＰＵ２４は、メモリ１７の過焦点距離をＳ３０７の過焦点距離に更新してＳ３１０に移行する。
【００４２】
ステップＳ３０９：ＣＰＵはＳ３０５での設定に基づくＡＦ動作（第２合焦動作）を実行する。第２合焦動作の終了後には、ＣＰＵ２４はメモリ１７の過焦点距離をＳ３０７の過焦点距離に更新してＳ３１０に移行する。
ステップＳ３１０：ＣＰＵ２４は撮影終了の入力があるか否かを判定する。撮影終了の入力がある場合（ＹＥＳ側）にはＣＰＵ２４は録音を伴う動画撮影を終了する。一方、撮影終了の入力がない場合（ＹＥＳ側）にはＳ３０６に戻って上記の判定を繰り返す。
【００４３】
（請求項と実施形態との対応関係）
ここで、請求項と実施形態との対応関係を示しておく。なお、以下に示す対応関係はあくまで参考のために示す解釈であって、本発明の技術的範囲を限定するものではない。
「撮影光学系」には撮影レンズ１０が対応する。「撮像部」には撮像素子１３、アナログ信号処理部１４、Ａ／Ｄ変換部１５、画像処理部１６などが対応する。「マイク」にはマイク部１８が対応する。「レンズ駆動部」にはレンズ駆動部１１が対応する。「合焦制御部」にはＣＰＵ２４が対応する。「メモリ」にはメモリ１７が対応する。
【００４４】
（実施形態の補足事項）
以上、本発明を上記の実施形態によって説明してきたが、本発明の技術的範囲は上記実施形態に限定されるものではない。
（１）上記実施形態では、録音を伴う動画撮影時にはＣＰＵがレンズ駆動部の連続駆動時間等を非録音時と異なる設定とする例を説明した。しかし、本発明は上記実施形態に限定されるものではない。例えば、静止画撮影中にマイクで録音を行う場合において、ＣＰＵがレンズ駆動部の連続駆動時間やモータの駆動周波数を非録音時と異なる設定とする例も本発明は包含する。
【００４５】
（２）上記実施形態において、ＣＰＵは絞り値の変化やズーム動作によって第２合焦動作を停止することなく、合焦停止時間をあけて第２合焦動作を定期的に行う制御を実行してもよい。また、ＣＰＵは録音時におけるモータの駆動周波数を非録音時よりも低く設定して、録音時にＡＦ動作を連続的に行う制御を実行してもよい。
（３）本発明の焦点検出装置はＴＴＬコントラスト検出方式の焦点検出装置に限定されることなく、例えば、撮影光学系と異なる光学系をもつ外光式焦点検出装置やＴＴＬ位相差検出方式の焦点検出装置などの公知の焦点検出装置であってもよい。
【図面の簡単な説明】
【００４６】
【図１】第１実施形態の電子カメラのブロック図
【図２】電子カメラの撮影光学系およびマイクの配置を示す概要図
【図３】第１実施形態での動画撮影時のＡＦ動作を示す流れ図
【図４】第２実施形態での動画撮影時のＡＦ動作を示す流れ図
【図５】第３実施形態での動画撮影時のＡＦ動作を示す流れ図
【符号の説明】
【００４７】
１０  撮影レンズ
１１  レンズ駆動部
１３  撮像素子
１４  アナログ信号処理部
１５  Ａ／Ｄ変換部
１６  画像処理部
１７  メモリ
１８  マイク部
２４  ＣＰＵ
【図１】
2006184440.tif 000003
【図２】
2006184440.tif 000004
【図３】
2006184440.tif 000005
【図４】
2006184440.tif 000006
【図５】
2006184440.tif 000007